(57)【要約】【課題】コイルに半田が飛着したりコイルに傷がついたりすることを防止することができるコイル部品の提供。【解決手段】カバー４０は樹脂等の絶縁性の材料により構成され、一の方向におけるボビンの巻芯部の下端部及び一対のフランジ部２１Ａの下端部と導線の一方向端部とにそれぞれ対向する中央部４１と、コア１０の輪郭延出部の下面とコア１０の基部１１の長手方向端部の下面１１Ｃとにそれぞれ対向する一対の両側部４２、４２とを有する。中央部４１と両側部４２との接続位置には絶縁壁が設けられている。カバー４０がボビンの一方向延出部２１Ｆ、２１Ｇに対して固定されたときに、絶縁壁は導線の巻回部とコア１０の輪郭延出部との間に輪郭延出部から巻回部を遮蔽するように配置される。【選択図】図３
2010034439.tif 000002
【特許請求の範囲】
【請求項１】
略筒状をなす巻軸部と、該巻軸部の軸方向両端に設けられ一の方向へ延出する端子電極を備える端子台とを有するボビンと、
該巻軸部に巻回された導線の部分からなる巻回部と該導線の一端又は他端からなり該端子電極に電気的に接続された継線部とを有するコイルと、
該巻軸部の内周面により画成される内側空間に挿入される挿入部を有するコアとを備え、
該巻回部は該一の方向における端部をなす一方向端部を有し該一方向端部は実装基板に形成された貫通孔に挿入され、該端子電極の延出端部が該実装基板の導電パターンに電気的に接続され、
少なくとも該一方向端部を覆うカバーを備え、該カバーは該端子台に固定されていることを特徴とするコイル部品。
【請求項２】
該コアの一部であって該挿入部以外の部分は、該巻回部と対向配置された導線対向部を有し、
該カバーは、絶縁材からなり該導線対向部から該巻回部を遮蔽するように該導線対向部と該巻回部との間に配置された絶縁壁を有することを特徴とする請求項１記載のコイル部品。
【請求項３】
該コイルは、該巻回部から引出されて該巻回部から該継線部までの該導線の部分をなす引出し部を有し、
該コアの一部であって該挿入部以外の部分は、該一の方向において該巻回部の該一の方向における高さよりも小さな値の高さを有し該一の方向における端面が下面をなし反該一の方向における端面が上面をなす薄幅部を有し、
該端子台は、該薄幅部の上面上に配置される薄幅部上部と該薄幅部上部から該コアに沿って該一の方向へ延出する一方向延出部とを有し、
該薄幅部上部には該引出し部を収容する引出部収容空間が形成されていることを特徴とする請求項１又は請求項２記載のコイル部品。
【請求項４】
該コアは、略長方形状をなす板状の基部と、略長方形状をなし該基部の両端からそれぞれ該基部の上面に平行に延出し且つ該基部の長手方向に垂直に互いに平行に延出する一対の輪郭延出部と、略長方形状をなし該基部の中央から該輪郭延出部と平行に延出する中央延出部とをそれぞれ有する一対のＥ字状コアからなり、該一対のＥ字状コアの該輪郭延出部の延出端面同士はそれぞれ互いに接続され、該一対のＥ字状コアの該中央延出部は、それぞれ該巻軸部の軸方向の一端、他端から該内側空間に挿入されて延出端面同士は互いに接続され、該中央延出部は該挿入部をなし、該基部は該薄幅部をなし、該輪郭延出部は該導線対向部をなし、
該一方向延出部は、該基部の長手方向の端面に沿って該一の方向へ延出していることを特徴とする請求項３記載のコイル部品。
【請求項５】
該カバーは該一方向延出部と該コアの基部の長手方向の端面との間に配置された固定部を有し、該固定部は、該一方向延出部に係合することにより該端子台に固定されることを特徴とする請求項４記載のコイル部品。
【発明の詳細な説明】
【技術分野】
【０００１】
本発明はコイル部品に関し、特に略筒状をなす巻軸部を有するボビンと、巻軸部に巻回された導線を有するコイルとを有するコアとを備えるコイル部品に関する。
【背景技術】
【０００２】
コイル部品としては、略筒状をなす巻軸部を有するボビンと、巻軸部に巻回された導線を有するコイルと、巻軸部の内周面により画成される内側空間に挿入される挿入部を有するコアとを備える構成が従来より知られている。巻軸部の両端であって実装基板に実装される実装側寄りの部分には端子台が設けられており、端子台には端子ピンが設けられている。コイルを構成する導線の一端又は他端は端子ピンに電気的に接続されている。コイルを構成する導線の一部が巻回された巻軸部の部分であって反実装側寄りの部分はカバーによって覆われている。このようなコイル部品は、例えば、実開平７−２９８１２号公報（特許文献１）に記載されている。
【特許文献１】実開平７−２９８１２号公報
【発明の開示】
【発明が解決しようとする課題】
【０００３】
しかし、従来のコイル部品では、前述のようにコイルを構成する導線の一部が巻回された巻軸部の部分であって反実装側寄りの部分はカバーによって覆われているものの、実装側はカバー等により覆われていない。このため、例えば、貫通孔が形成された基板にコイルを構成する導線の一部が巻回された巻軸部の部分であって実装側寄りの部分を挿入すると、貫通孔の当該挿入方向下流側において巻軸部に巻回された導線の部分が露出する。
【０００４】
このように露出した状態で半田槽に通して、コイルを構成する導線の一端、他端を端子ピンに半田付けすると、巻軸部に巻回された導線の部分であって貫通孔から露出している部分に半田が飛着したりする。また、コイル部品が実装された基板を取扱う際に、巻軸部に巻回された導線の部分であって貫通孔から露出している部分に他の物が当接したりすることによりコイルに傷がついたりすることがある。
【０００５】
そこで、本発明は、コイルに半田が飛着したりコイルに傷がついたりすることを防止することができるコイル部品を提供することを目的とする。
【課題を解決するための手段】
【０００６】
上記目的を達成するために本発明は、略筒状をなす巻軸部と、該巻軸部の軸方向両端に設けられ一の方向へ延出する端子電極を備える端子台とを有するボビンと、該巻軸部に巻回された導線の部分からなる巻回部と該導線の一端又は他端からなり該端子電極に電気的に接続された継線部とを有するコイルと、該巻軸部の内周面により画成される内側空間に挿入される挿入部を有するコアとを備え、該巻回部は該一の方向における端部をなす一方向端部を有し該一方向端部は実装基板に形成された貫通孔に挿入され、該端子電極の延出端部が該実装基板の導電パターンに電気的に接続され、少なくとも該一方向端部を覆うカバーを備え、該カバーは該端子台に固定されているコイル部品を提供している。
【０００７】
巻回部は一の方向における端部をなす一方向端部を有し一方向端部は実装基板に形成された貫通孔に挿入され、端子電極の延出端部が実装基板の導電パターンに電気的に接続され、少なくとも一方向端部を覆うカバーを備え、カバーは端子台に固定されているため、基板に形成された貫通孔から一方向端部が露出することを防止することができる。この結果、端子電極の延出端部を実装基板の導電パターンに電気的に接続するために半田槽に通したときに、一方向端部に半田が飛着することを防止することができる。また、コイル部品が実装された実装基板を取扱う際に、一方向端部に他の物が当接したりすることによりコイルに傷がついたりすることを防止できる。
【０００８】
ここで、該コアの一部であって該挿入部以外の部分は、該巻回部と対向配置された導線対向部を有し、該カバーは、絶縁材からなり該導線対向部から該巻回部を遮蔽するように該導線対向部と該巻回部との間に配置された絶縁壁を有することが好ましい。
【０００９】
コアの一部であって挿入部以外の部分は、巻回部と対向配置された導線対向部を有し、カバーは、絶縁材からなり導線対向部から巻回部を遮蔽するように導線対向部と巻回部との間に配置された絶縁壁を有するため、絶縁壁によりコイルとコアとの間を確実に絶縁することができる。
【００１０】
また、該コイルは、該巻回部から引出されて該巻回部から該継線部までの該導線の部分をなす引出し部を有し、該コアの一部であって該挿入部以外の部分は、該一の方向において該巻回部の該一の方向における高さよりも小さな値の高さを有し該一の方向における端面が下面をなし反該一の方向における端面が上面をなす薄幅部を有し、該端子台は、該薄幅部の上面上に配置される薄幅部上部と該薄幅部上部から該コアに沿って該一の方向へ延出する一方向延出部とを有し、該薄幅部上部には該引出し部を収容する引出部収容空間が形成されていることが好ましい。
【００１１】
コアの一部であって挿入部以外の部分は、一の方向において巻回部の一の方向における高さよりも小さな値の高さを有し一の方向における端面が下面をなし反一の方向における端面が上面をなす薄幅部を有し、端子台は、薄幅部の上面上に配置される薄幅部上部と薄幅部上部からコアに沿って一の方向へ延出する一方向延出部とを有し、薄幅部上部には引出し部を収容する引出部収容空間が形成されているため、一の方向における薄幅部上部の高さに引出し部における導線の直径を含ませることができ、薄幅部の下面に対向する位置に引出し部を配置させる場合と比較して、コイル部品等が実装される実装基板の上面を基準としたコイル部品の低背化を図ることができる。
【００１２】
また、該コアは、略長方形状をなす板状の基部と、略長方形状をなし該基部の両端からそれぞれ該基部の上面に平行に延出し且つ該基部の長手方向に垂直に互いに平行に延出する一対の輪郭延出部と、略長方形状をなし該基部の中央から該輪郭延出部と平行に延出する中央延出部とをそれぞれ有する一対のＥ字状コアからなり、該一対のＥ字状コアの該輪郭延出部の延出端面同士はそれぞれ互いに接続され、該一対のＥ字状コアの該中央延出部は、それぞれ該巻軸部の軸方向の一端、他端から該内側空間に挿入されて延出端面同士は互いに接続され、該中央延出部は該挿入部をなし、該基部は該薄幅部をなし、該輪郭延出部は該導線対向部をなし、該一方向延出部は、該基部の長手方向の端面に沿って該一の方向へ延出していることが好ましい。
【００１３】
コアは、略長方形状をなす板状の基部と、略長方形状をなし基部の両端からそれぞれ基部の上面に平行に延出し且つ基部の長手方向に垂直に互いに平行に延出する一対の輪郭延出部と、略長方形状をなし基部の中央から輪郭延出部と平行に延出する中央延出部とをそれぞれ有する一対のＥ字状コアからなり、一対のＥ字状コアの輪郭延出部の延出端面同士はそれぞれ互いに接続され、一対のＥ字状コアの中央延出部は、それぞれ巻軸部の軸方向の一端、他端から内側空間に挿入されて延出端面同士は互いに接続され、中央延出部は挿入部をなし、基部は薄幅部をなし、輪郭延出部は導線対向部をなし、一方向延出部は、基部の長手方向の端面に沿って一の方向へ延出しているため、基部から輪郭延出部が延出する方向と反対の方向へ端子台が基部から突出しない形状とすることができる。
【００１４】
また、該カバーは該一方向延出部と該コアの基部の長手方向の端面との間に配置された固定部を有し、該固定部は、該一方向延出部に係合することにより該端子台に固定されることが好ましい。カバーは一方向延出部とコアの基部の長手方向の端面との間に配置された固定部を有するため、固定部を一方向延出部に係合することができる。
【発明の効果】
【００１５】
以上により、本発明は、コイルに半田が飛着したりコイルに傷がついたりすることを防止することができるコイル部品を提供することができる。
【発明を実施するための最良の形態】
【００１６】
本発明の実施の形態によるコイル部品について図１乃至図７を参照しながら説明する。図１に示されるようにコイル部品１は、コア１０と、ボビン２０と、導線３０と、カバー４０とを備えている。
【００１７】
ボビン２０は、図５に示されるように、略筒形状をした巻芯部２１を有している。巻芯部２１は巻軸部に相当する。巻芯部２１の軸方向の両端にはフランジ部２１Ａが設けられており、フランジ部２１Ａの部分であって後述のコア１０の上面１０Ａ（図３等）よりも図５（ｂ）の上側に位置している部分には、それぞれ一対の端子台２１Ｂ、２１Ｃが延出している。一対の端子台２１Ｂ、２１Ｃは、フランジ部２１Ａから巻芯部２１の軸方向へ延出した後に湾曲し、当該軸方向に垂直の方向であって互いに離間する方向、即ち後述のコア１０の上面１０Ａに平行の方向であって図の左右方向へ延出している。端子台２１Ｂ、２１Ｃのここまで延出している部分は薄幅部上部２１Ｄ、２１Ｅをなしており、更に、薄幅部上部２１Ｄ、２１Ｅから図５（ｂ）に示されるように、図の下方に沿って、即ち、後述のコア１０の基部１１の長手方向の端面１１Ｂ（図３等）に沿って延出している一方向延出部２１Ｆ、２１Ｇを有する。一方向延出部２１Ｆ、２１Ｇの延出方向、即ち、図３において上方から下方へと向かう方向を「一の方向」として以下の説明を行うものとする。
【００１８】
薄幅部上部２１Ｄ、２１Ｅは、図３に示されるように後述のコア１０の基部１１の上面上に配置されており、一の方向たる図３の上方から下方へと向かう方向において、後述のコア１０の基部１１の上面１１Ａとフランジ部２１Ａの上端２１Ｊとの間に配置されている。薄幅部上部２１Ｄ、２１Ｅの図３に示される上端面には図２に示されるようにその延出方向に沿って導線３０の直径よりも幅及び深さの大きな溝２１ａ、２１ｂが、一方向延出部２１Ｆ、２１Ｇに至るまで形成されている。溝２１ａ、２１ｂ内には、後述の導線３０の引出し部３２が収容されている。溝２１ａ、２１ｂは引出部収容空間に相当する。
【００１９】
一方向延出部２１Ｆ、２１Ｇには端子電極たるピン端子２２が設けられている。ピン端子２２は、図５（ｂ）に示されるように、直線状をしたピンが途中で直角に折り曲げられたような形状のＬ字状をなしている。当該直角に折り曲げられた部分から図５（ｂ）の下方へ延出する部分は、実装基板２（図３）の図示せぬ導電パターンに半田付けにより電気的に接続される延出端部２２Ａを有し、当該直角に折り曲げられた部分から図５（ｂ）の右方又は左方へ延出する部分は、後述の導線３０の一端又他端たる継線部３３が半田付けにより電気的に接続される導線継線部２２Ｂを有する。当該直角に折り曲げられた部分及びその近傍部分は、ボビン２０の一方向延出部２１Ｆ、２１Ｇ内に固定配置されている。また、一方向延出部２１Ｆ、２１Ｇの一部であって、後述のコア１０の基部１１の長手方向の端面に対向する位置には、係合凹部２１ｃが形成されている。
【００２０】
巻芯部２１の軸方向端面に相当するフランジ部２１Ａの部分には、図３、図５（ｂ）に示されるように、それぞれコア位置決め片２３が設けられている。コア位置決め片２３は、巻芯部２１の軸方向端部における内側空間２０ａの開口部の図５（ｂ）に示される上側と下側とに設けられており、後述のコア１０の上面１０Ａ及び下面１０Ｂ（図３）に平行に延出している。後述のようにコア１０の中央延出部１３が巻芯部２１の内周面により画成される内側空間２０ａに挿入されたときに、コア１０の基部１１の上面１１Ａ及び下面１１Ｃにコア位置決め片２３がそれぞれ当接することにより、図５（ｂ）の上下方向における位置決めがなされるように構成されている。
【００２１】
巻芯部２１の軸方向中央位置には、巻芯部２１に巻回される後述の導線３０のうちの１次側コイルと２次側コイルとを絶縁する巻芯絶縁壁２１Ｈが設けられている。巻芯絶縁壁２１Ｈの図５に示される左右端部には、図５（ｂ）の上下方向へ延出する壁凸部２１Ｉが設けられている。
【００２２】
一対のコア１０は、図７に示されるようにそれぞれ略Ｅ字状をなしており、磁性体（例えば、フェライト等）により構成されている。より具体的には、コア１０は基部１１と輪郭延出部１２と中央延出部１３とを備えている。基部１１は略長方形状の板状をなしている。輪郭延出部１２は、略長方形状をなしており、基部１１の両端からそれぞれ基部１１の上面１１Ａに平行に且つ基部１１の長手方向に垂直に互いに平行に同一方向へ延出して一対設けられている。中央延出部１３は、略長方形状をなしており、基部１１の中央から輪郭延出部１２と同一方向に輪郭延出部１２と平行をなして輪郭延出部１２と同一方向に延出して設けられている。基部１１の上面１１Ａと輪郭延出部１２の上面１２Ｂと中央延出部１３の上面１３Ｂとは面一の位置関係にあり、これらはコアの上面１０Ａを構成する。同様に、基部１１の下面１１Ｃと輪郭延出部１２の下面と中央延出部１３の下面とは面一の位置関係にあり、これらはコアの下面１０Ｂを構成する。
【００２３】
一対のコア１０の中央延出部１３は、それぞれ巻芯部２１の軸方向の一端、他端から巻芯部２１の内側空間２０ａに挿入されてゆき、一対のコア１０の輪郭延出部１２の延出端面１２Ａ同士はそれぞれ互いに接着剤により接続され、また、中央延出部１３の延出端面１３Ａ同士は互いに接着剤により接続される。この状態のときに、輪郭延出部１２は、図２に示されるように後述の導線３０の巻回部３１に対向配置される。それぞれ板状をなすコア１０の基部１１、輪郭延出部１２、および中央延出部１３の厚さ、即ち、図７の紙面の表から裏へと向かう方向たる一の方向における高さは、同方向における後述の導線３０の巻回部３１の高さよりも小さな値を有している。中央延出部１３は挿入部に相当し、基部１１は薄幅部に相当し、輪郭延出部１２は導線対向部に相当する。
【００２４】
導線３０は巻芯部２１に巻回されてコイルをなす。導線３０としては、例えば周囲を絶縁被覆された銅線が用いられる。導線３０は、図１、図２に示されるように、一方のフランジ部２１Ａと巻芯絶縁壁２１Ｈとの間に１次側コイルとして１本巻回され、他方のフランジ部２１Ａと巻芯絶縁壁２１Ｈとの間に２次側コイルとしてもう１本巻回されて構成されている。巻芯部２１に巻回されている導線３０の部分は巻回部３１をなし、巻回部３１から引出された導線３０の部分は引出し部３２をなし、２本の導線３０の一端、他端は、ピン端子２２の導線継線部２２Ｂ（図５（ｂ））に半田付けされた継線部３３をなす。また、巻回部３１の一の方向における端部、即ち、図２に示される巻回部３１の上部端部３１Ａに対する図２の紙面の裏側の方向に位置する下部端部は一方向端部に相当し、当該一方向端部は、図３に示されるように実装基板２に実装された状態のときに、実装基板２に形成された貫通孔２ａ内に後述のカバー４０及びボビン２０の図３に示される下部と共に挿入され配置されるように構成されている。巻回部３１の上部端部３１Ａは、図３に示されるボビン２０のフランジ部２１Ａの上端２１Ｊ及び端子台２１Ｂ、２１Ｃの上端と略面一の位置関係をなす。
【００２５】
カバー４０は樹脂等の絶縁性の材料により構成されており、図６（ａ）に示されるように略Ｈ字状をなしている。カバー４０は、一の方向たる図１の上方から下方へと向かう方向におけるボビン２０の巻芯部２１の下端部及び一対のフランジ部２１Ａの下端部と導線３０の一方向端部とにそれぞれ対向する中央部４１と、コア１０の輪郭延出部１２の下面とコア１０の基部１１の長手方向端部の下面とにそれぞれ対向する一対の両側部４２、４２とを有している。一の方向においてボビン２０の一対のフランジ部２１Ａの下端部は、図３に示されるようにコア１０の基部１１の下面１１Ｃ及び輪郭延出部１２の下面よりも図３の下方たる一の方向へ突出しているため、中央部４１も、図６（ｂ）に示されるように、一の方向に両側部４２よりも突出している。
【００２６】
中央部４１と両側部４２との接続位置には、一の方向とは反対の方向、即ち、図６（ｂ）の上方へ延出する略長方形の板状をした絶縁壁４３が設けられている。絶縁壁４３の長手方向たる図６（ａ）における上下方向の中央位置には、ガイド４３Ａが設けられており、巻芯絶縁壁２１Ｈの壁凸部２１Ｉがガイド４３Ａにより案内され、後述のようにカバー４０がボビン２０の一方向延出部２１Ｆ、２１Ｇに対して固定されたときに、絶縁壁４３は導線３０の巻回部３１とコア１０の輪郭延出部１２との間に輪郭延出部１２から巻回部３１を遮蔽するように配置されるように構成されている。
【００２７】
両側部４２の端縁には、一の方向とは反対の方向、即ち、図６（ｂ）の上方へ延出する略長方形の板状をしたボビン係止壁４４が設けられている。ボビン係止壁４４には、ボビン係止壁４４の長手方向の一端から他端に至るまで、一方向延出部２１Ｆ、２１Ｇの係合凹部２１ｃに係合可能な係合凸部４４Ａが設けられている。ボビン係止壁４４を一方向延出部２１Ｆ、２１Ｇとコア１０の基部１１の長手方向の端面１１Ｂとの間に挿入し配置すると共に係合凸部４４Ａを係合凹部２１ｃに係合させることにより、カバー４０をボビン２０の一方向延出部２１Ｆ、２１Ｇに対して固定することができ、一の方向におけるボビン２０の一対のフランジ部２１Ａの下端部と導線３０の一方向端部とをカバー４０の中央部４１で覆うことができ、コア１０の輪郭延出部１２の下面と、コア１０の基部１１の長手方向端部の下面とを両側部４２で覆うことができるように構成されている。ボビン係止壁４４は固定部に相当する。
【００２８】
一方向端部を覆うカバー４０を備え、カバー４０は端子台２１Ｂ、２１Ｃに固定されているため、実装基板２に形成された貫通孔２ａから導線３０の巻回部３１の一方向端部が露出することを防止することができる。この結果、ピン端子２２の延出端部２２Ａを実装基板２の図示せぬ導電パターンに電気的に接続するために半田槽に通したときに、巻回部３１の一方向端部に半田が飛着することを防止することができる。また、コイル部品１が実装された実装基板２を取扱う際に、巻回部３１の一方向端部に他の物が当接したりすることによりコイルを構成する導線３０に傷がついたりすることを防止できる。
【００２９】
また、カバー４０は、絶縁材からなり輪郭延出部１２から巻回部３１を遮蔽するように輪郭延出部１２と巻回部３１との間に配置された絶縁壁４３を有するため、絶縁壁４３によりコイルを構成する導線３０とコア１０との間を確実に絶縁することができる。
【００３０】
また、コア１０の基部１１は一の方向において巻回部３１の一の方向における高さよりも小さな値の高さを有し、端子台２１Ｂ、２１Ｃは、基部１１の上面上に配置される薄幅部上部２１Ｄ、２１Ｅと薄幅部上部２１Ｄ、２１Ｅからコア１０に沿って一の方向へ延出する一方向延出部２１Ｆ、２１Ｇとを有し、薄幅部上部２１Ｄ、２１Ｅには引出し部３２を収容する引出部収容空間が形成されているため、一の方向における薄幅部上部２１Ｄ、２１Ｅの高さに引出し部３２における導線３０の直径を含ませることができ、基部１１の下面１１Ｃに対向する位置に導線３０の引出し部３２を配置させる場合と比較して、コイル部品１等が実装される実装基板２の上面２Ａ（図３）を基準としたコイル部品１の低背化を図ることができる。
【００３１】
また、コア１０は、略長方形状をなす板状の基部１１と、略長方形状をなし基部１１の両端からそれぞれ基部１１の上面１１Ａに平行に延出し且つ基部１１の長手方向に垂直に互いに平行に延出する一対の輪郭延出部１２と、略長方形状をなし基部１１の中央から輪郭延出部１２と平行に延出する中央延出部１３とをそれぞれ有する一対のＥ字状のコアからなり、一対のＥ字状のコアの輪郭延出部１２の延出端面１２Ａ同士はそれぞれ互いに接続され、一対のＥ字状のコアの中央延出部１３は、それぞれ巻軸部の軸方向の一端、他端から内側空間２０ａに挿入されて延出端面１３Ａ同士が互いに接続され、一方向延出部２１Ｆ、２１Ｇは、基部１１の長手方向の端面１１Ｂに沿って一の方向へ延出しているため、基部１１から輪郭延出部１２が延出する方向と反対の方向へ端子台２１Ｂ、２１Ｃが基部１１から突出しない形状とすることができる。
【００３２】
また、カバー４０は一方向延出部２１Ｆ、２１Ｇとコア１０の基部１１の長手方向の端面１１Ｂとの間に配置された固定部を有するため、固定部を一方向延出部２１Ｆ、２１Ｇに係合することができる。
【００３３】
本発明によるコイル部品は、上述した実施の形態に限定されず、特許請求の範囲に記載した範囲で種々の変形や改良が可能である。例えば、ボビン、導線、コア１０、カバーは本実施の形態の形状に限定されない。
【産業上の利用可能性】
【００３４】
本発明は、実装基板に形成された貫通孔にコイル部品の一部が挿入されて実装基板に実装されるコイル部品の分野において有用である。
【図面の簡単な説明】
【００３５】
【図１】本発明の実施の形態によるコイル部品を示す斜視図。
【図２】本発明の実施の形態によるコイル部品を示す平面図。
【図３】本発明の実施の形態によるコイル部品を示す正面図。
【図４】本発明の実施の形態によるコイル部品を示す底面図。
【図５】本発明の実施の形態によるコイル部品のボビンを示す図であり、（ａ）は平面図、（ｂ）は正面図。
【図６】本発明の実施の形態によるコイル部品のカバーを示す図であり、（ａ）は平面図、（ｂ）は正面図。
【図７】本発明の実施の形態によるコイル部品のコアを示す平面図。
【符号の説明】
【００３６】
１                      コイル部品
１０                    コア
１１                    基部
１２                    輪郭延出部
１２Ａ                  延出端面
１３                    中央延出部
２０                    ボビン
２１                    巻芯部
２１Ｂ                  端子台
２１Ｄ、２１Ｅ          薄幅部上部
２１Ｆ、２１Ｇ          一方向延出部
２１ａ                  溝
２２                    ピン端子
２２Ａ                  延出端部
３０                    導線
３１                    巻回部
３２                    引出し部
３３                    継線部
４０                    カバー
４３                    絶縁壁
４４                    ボビン係止壁
【図１】
2010034439.tif 000003
【図２】
2010034439.tif 000004
【図３】
2010034439.tif 000005
【図４】
2010034439.tif 000006
【図５】
2010034439.tif 000007
【図６】
2010034439.tif 000008
【図７】
2010034439.tif 000009